(57)【特許請求の範囲】
【請求項１】
水面のスカムを破砕するスカム破砕装置であって、
直線状の軸方向を有する円筒状の周面を備えた筒状部と、
この筒状部の周面の軸方向の一端側の一部に連続した断面凹弧状に形成され、凹弧面に沿って水が流れるように湾曲した軸方向を有し、前記筒状部の周面の径寸法より小さな幅寸法に形成された曲面部と、
この曲面部の前記筒状部に連続している側の反対側に位置する一端側に連続して設けられ、前記筒状部の軸方向に略直交する方向に向けて突出し、この筒状部の軸方向および前記曲面部の一端側の軸方向のそれぞれに直交する方向に拡開した拡散部と
を具備したことを特徴としたスカム破砕装置。
【請求項２】
拡散部は、筒状部の軸方向においてこの筒状部の外周面より外側に位置する
ことを特徴とした請求項１記載のスカム破砕装置。
【請求項３】
拡散部は、筒状部の軸方向に対して鋭角に交差する内側面を有している
ことを特徴とした請求項１または２記載のスカム破砕装置。
【請求項４】
拡散部の曲面部に連続している側の反対側の一端部は、この拡散部の幅方向に向けて円弧状に湾曲した形状に形成されている
ことを特徴とした請求項１ないし３いずれか記載のスカム破砕装置。
【請求項５】
請求項１ないし４いずれか記載のスカム破砕装置の拡散部が設けられている側を下側に向け、
このスカム破砕装置の曲面部の一部までを、水面下に位置させ、
このスカム破砕装置の拡散部の一端側から水を噴射させて、前記水面のスカムを破砕する
ことを特徴とするスカムの破砕方法。
【発明の詳細な説明】
【技術分野】
【０００１】
本発明は、水面のスカムを破砕するスカム破砕装置およびそのスカムの破砕方法に関する。
【背景技術】
【０００２】
従来、汚水処理施設においては、比較的水流の緩やかな水路や水槽の水面に、油脂分または水より比重の小さい浮遊汚泥が堆積して、スカムの層であるスカム層が形成される。そして、このスカム層は、汚水の水面において次第に成長していき、この汚水を処理した処理水を放流する際の放流水への浮遊物質（Suspended Solids：ＳＳ）の流出の原因となったり、このスカム層が汚水の水面に長期的に滞留することによって腐敗して汚水の水質をより悪化させたり悪臭の原因となったりする。
【０００３】
このため、このスカム層を破砕して除去する方法としては、このスカム層が発生するおそれのある汚水の水面に処理水などの水を吹き付けるスプレーノズルや、汚水の水面に発生したスカム層をかき寄せて除去するスカムスキマー、微細な網目のスクリーン、汚水の水面に浮かべてスカム層を吸い込んで除去するフロートポンプなどを用いた方法が知られている。
【０００４】
そして、これらのスカム層を破砕して除去する方法の中でも、スプレーノズルを用いた方法は、場所を選ばず設置できるという適用性に優れており、操作性および維持管理性が容易なことから幅広く用いられている。具体的に、この種のスプレーノズルとしては、水面の上方からスプレー水を扇状に噴射してスカムを破砕するスリット型のスプレーノズルや、先端が絞られた形状のスプレーノズル、ノズル部の先端に設けられている扇状部が平坦な形状であり、汚水中で水平方向にスプレー水を噴射して表層流を発生させ、ノズル部に流れ込むスカムをスプレー水で破砕する潜水型のスプレーノズルなどが知られている（例えば、特許文献１参照。）
【特許文献１】特開２００２−２３３８６７号公報
【発明の開示】
【発明が解決しようとする課題】
【０００５】
上述のように、スリット型のスプレーノズルは、水面の上方からスプレー水を扇状に噴射してスカムを破砕するものであるが、扇状にスプレーされた水が壁となってスカムの流れを阻止してしまうおそれがあるとともに、このスカムが破砕されずに停滞してしまうおそれがある。また、スプレー水がしぶきとなって周囲に飛散してしまうため、不衛生な環境となってしまうおそれがある。
【０００６】
また、先端が絞られた形状のスプレーノズルは、部分的にスカムを破砕できるものの、このスカム全体を破砕することは容易ではなく、スリット型のスプレーノズルと同様に、噴射水によるしぶきによって周囲を不衛生な環境としてしまうおそれがある。
【０００７】
さらに、潜水型のスプレーノズルは、汚水中で水平方向にスプレー水を噴射する構造であるため、汚水の水面上のスカム層に水流を直接衝突できず、このスカムの破砕力が半減されるおそれがある。また、ノズル部の先端に設けられている扇状部が平坦な形状であるため、この扇状部にてスプレー水の水流が拡散されてしまい、このスプレー水の勢いそのものが弱くなってしまうおそれがあるから、厚い層のスカムの破砕が容易ではない。さらに、また、ノズル部の先端部に形状が、このノズル部の端部を解放させた形状となっているため、このノズル部の先端部から噴射させるスプレー水の圧損が小さく、このスプレー水として用いる水の使用量が多くなってしまうから、このスプレー水によるスカムの破砕が効率良くできないという問題を有している。
【０００８】
本発明は、このような点に鑑みなされたもので、水面のスカムを効率良く破砕できるスカム破砕装置およびそのスカムの破砕方法を提供することを目的する。
【課題を解決するための手段】
【０００９】
請求項１記載のスカム破砕装置は、水面のスカムを破砕するスカム破砕装置であって、直線状の軸方向を有する円筒状の周面を備えた筒状部と、この筒状部の周面の軸方向の一端側の一部に連続した断面凹弧状に形成され、凹弧面に沿って水が流れるように湾曲した軸方向を有し、前記筒状部の周面の径寸法より小さな幅寸法に形成された曲面部と、この曲面部の前記筒状部に連続している側の反対側に位置する一端側に連続して設けられ、前記筒状部の軸方向に略直交する方向に向けて突出し、この筒状部の軸方向および前記曲面部の一端側の軸方向のそれぞれに直交する方向に拡開した拡散部とを具備したものである。
【００１０】
請求項２記載のスカム破砕装置は、請求項１記載のスカム破砕装置において、拡散部は、筒状部の軸方向においてこの筒状部の外周面より外側に位置するものである。
【００１１】
請求項３記載のスカム破砕装置は、請求項１または２記載のスカム破砕装置において、拡散部は、筒状部の軸方向に対して鋭角に交差する内側面を有しているものである。
【００１２】
請求項４記載のスカム破砕装置は、請求項１ないし３いずれか記載のスカム破砕装置において、拡散部の曲面部に連続している側の反対側の一端部は、この拡散部の幅方向に向けて円弧状に湾曲した形状に形成されているものである。
【００１３】
請求項５記載のスカムの破砕方法は、請求項１ないし４いずれか記載のスカム破砕装置の拡散部が設けられている側を下側に向け、このスカム破砕装置の曲面部の一部までを、水面下に位置させ、このスカム破砕装置の拡散部の一端側から水を噴射させて、前記水面のスカムを破砕するものである。
【発明の効果】
【００１４】
請求項１記載のスカム破砕装置によれば、拡散部が設けられている側を下側に向けて、曲面部までを水面下に位置させた状態で、拡散部の一端側から水を噴射させることにより、水面に表層流が発生し、この水面のスカムを停滞させることなく周囲のスカムを引き込むことができる。このとき、曲面部を筒状部の周面の径寸法より小さな幅寸法に形成したことにより、噴射させる水が拡散部のみならず曲面部の側部から噴射される。よって、この曲面部の幅方向の両側からもスカムを吸い寄せることができるため、このスカムを効率良く破砕できる。
【００１５】
請求項２記載のスカム破砕装置によれば、請求項１記載のスカム破砕装置の効果に加え、拡散部から効率よく水を水平方向に噴射でき、拡散部が突出している側の反対側から効率良くスカムを吸い寄せることができるから、このスカムをより効率良く破砕できる。
【００１６】
請求項３記載のスカム破砕装置によれば、請求項１または２記載のスカム破砕装置の効果に加え、拡散部から噴射させる水で効率良く水面下に表層流を形成できるから、この水面のスカムの引き寄せをより効率良くできるとともに、水面のスカムに水を直接衝突できるため、このスカムの破砕効率をより向上できる。
【００１７】
請求項４記載のスカム破砕装置によれば、請求項１ないし３いずれか記載のスカム破砕装置の効果に加え、噴射する水の勢いを拡散部の幅方向の中心付近に集中させつつ、この水を広範囲に拡散させて噴射できるので、水面のスカムをより効率良く破砕できる。
【００１８】
請求項５記載のスカムの破砕方法によれば、請求項１ないし４いずれか記載のスカム破砕装置の拡散部が設けられている側を下側に向け、このスカム破砕装置の曲面部の一部までを水面下に位置させた状態で、このスカム破砕装置の拡散部の一端側から水を噴射させることにより、水面に表層流が発生し、この水面のスカムを停滞させることなく周囲のスカムを引き込むことができる。このとき、このスカム破砕装置の曲面部を筒状部の周面の径寸法より小さな幅寸法に形成したことにより、このスカム破砕装置から噴射させる水が拡散部のみならず曲面部の側部から噴射されるため、この曲面部の幅方向の両側からもスカムを吸い寄せることができるから、このスカムを効率良く破砕できる。
【発明を実施するための最良の形態】
【００１９】
以下、本発明のスカム破砕装置を用いたスカムの破砕方法の一実施の形態の構成を図１ないし図４を参照して説明する。
【００２０】
図１ないし図４において、１はスカム破砕装置としてのノズルである。そして、このノズル１は、下水処理用の被処理水としての汚水Ｗの水面Ｌ上に発生するスカム（Scum）Ｓを破砕して除去するとともに、このスカムＳの発生を防止するための潜水型のスプレーノズルであるノズル体にて構成されている。
【００２１】
すなわち、このノズル１は、このノズル１から噴射される水であるスカム破砕水Ｄを用いて、汚水処理施設において発生するスカムＳを破砕および除去するノズル状のスカム破砕装置である。
【００２２】
ここで、このスカムＳは、図示しない処理槽に貯溜されている汚水Ｗ中に含まれている有機物が腐敗または発酵することにより発生するガスによって、この汚水Ｗ中の懸濁物質、繊維質、油脂質、細菌などの水より比重が小さな浮遊汚泥が浮上して堆積などして、この汚水Ｗの水面Ｌ上にスポンジ状の厚い層状に形成される浮きかすである。さらに、このスカムＳは、汚水Ｗの水面Ｌにおいて次第に成長していく。
【００２３】
一方、ノズル１は、側面視略Ｊ字状に形成された円筒体であって、上下方向に沿った直線状の軸方向を有する細長円筒状の筒状部としての直管部である胴体部２を備えている。この胴体部２は、例えば１０ｍｍ以上１４ｍｍ以下の内径寸法Ａに形成された送水管部であって、この胴体部２の周面部を構成する断面円環状の周面３を備えている。この周面３もまた、上下方向に沿った直線状の軸方向を有している。また、この周面３は、例えば３ｍｍ以上５ｍｍ以下の厚さ寸法Ｂを有している。さらに、この胴体部２の周面３の軸方向Ｃの一端側である下端側には、この周面３の径方向Ｅに沿った平坦な平坦部４が設けられている。この平坦部４は、胴体部２の軸方向Ｃに直交する方向であるとともに周面３の周方向Ｆに沿った平坦面状に形成されている。
【００２４】
さらに、胴体部２の平坦部４には、この胴体部２の周面３のうちの一部である周方向Ｆに沿った約２分の１の部分に相当する断面凹弧面状の曲部としての曲面部である湾曲凹部11が連通して設けられている。この湾曲凹部11は、胴体部２を軸方向Ｃに沿って略２分の１の大きさに分割した半割パイプ形状に形成されている。また、この湾曲凹部11は、胴体部２の周面３の下端側に連続しており、この胴体部２の軸方向Ｃに連続した軸方向Ｇを有している。さらに、この湾曲凹部11は、この湾曲凹部11の内側である凹弧面に沿って水が流れるように凹弧面側に向けて円弧状に約９０°に湾曲させた形状、すなわち側面視略ノ字状に形成されている。
【００２５】
よって、この湾曲凹部11の内径側である内側には、この湾曲凹部11の内側に向けて約９０°に湾曲した軸方向Ｇを有する円弧状流路12が形成されている。ここで、この湾曲凹部11は、例えば２０ｍｍ以上３０ｍｍ以下の曲率半径Ｈを有しており、この湾曲凹部11の胴体部２の平坦部４に連続している側である基端部から、この平坦部４に連続している側の反対側である先端部までの胴体部２の軸方向Ｃに沿った長さ寸法Ｉが、例えば３５ｍｍ以上４５ｍｍ以下に形成されている。
【００２６】
また、この湾曲凹部11は、この湾曲凹部11の幅方向Ｊを胴体部２の平坦部４の径方向Ｅに水平に位置させた状態で、この湾曲凹部11の胴体部２の平坦部４に連続している側が、この胴体部２の平坦部４の外側に面一となるように一体的に接続されている。このため、この胴体部２の平坦部４のうちの湾曲凹部11が接続されていない側である内側には、下方に向けて開口した断面半円形状の開口部である噴射口13が形成されている。
【００２７】
さらに、湾曲凹部11の先端部は、胴体部２の軸方向Ｃに直交する方向に突出している。そして、この湾曲凹部11は、この湾曲凹部11の幅方向Ｊの両側部に、側面部としての一対の側縁部14が設けられており、これら一対の側縁部14の間に断面略凹弧面状の底面部15が一体的に連結されて設けられている。ここで、この湾曲凹部11の一対の側縁部14は、この湾曲凹部11の先端側に進むにしたがって高さ寸法が徐々に小さくなるように傾斜している。
【００２８】
そして、これら一対の側縁部14は、例えば１ｍｍ以上２ｍｍ以下の厚さ寸法Ｋ、すなわち胴体部２の厚さ寸法Ｂより小さな厚さ寸法Ｋに形成されている。一方、湾曲凹部11の底面部15は、例えば３ｍｍ以上７ｍｍ以下の厚さ寸法Ｍ、すなわち胴体部２の厚さ寸法Ｂに等しい厚さ寸法Ｍに形成されている。よって、この湾曲凹部11は、胴体部２の周面３の径寸法、すなわち外径寸法Ｎより小さな幅寸法、すなわち外径寸法Ｏに形成されている。
【００２９】
さらに、この湾曲凹部11の先端部には、平面視扇状の拡散部としての先端部である拡散片部21が、この湾曲凹部11の先端側に連続して一体的に設けられている。この拡散片部21は、胴体部２の軸方向Ｃに略直交する方向に向けて突出しており、この胴体部２の軸方向Ｃおよび湾曲凹部11の先端側の軸方向Ｇのそれぞれに直行する方向に向けてテーパ状に拡開して銀杏葉形状に形成されている。ここで、この拡散片部21は、例えば３５ｍｍ以上４０ｍｍ以下の幅寸法Ｐを有しているとともに、例えば１５ｍｍ以上２５ｍｍ以下の曲率半径Ｑに形成されている。
【００３０】
また、この拡散片部21は、胴体部２の軸方向Ｃにおいて、この胴体部２の周面３の外周面より外側に突出した位置に設けられている。さらに、この拡散片部21の幅方向Ｊの両側縁部には、湾曲凹部11に設けられている一対の側縁部13に連続した一対の側縁部22が一体的に突出して設けられている。また、この拡散片部21は、この拡散片部21の幅方向Ｊの中心の先端縁から胴体部２の中心までの長さ寸法Ｒが、例えば４０ｍｍ以上５０ｍｍ以下に形成されている。
【００３１】
さらに、この拡散片部21の内側に内側面23が設けられており、この内側面23の湾曲凹部11に連続している側、すなわち基端側の反対側である先端側は、胴体部２の軸方向Ｃに対して鋭角に交差して傾斜している。具体的に、この拡散片部21の内側面23の先端側は、胴体部２の軸方向Ｃに直交する方向に対して、例えば１°以上１０°以下、好ましくは１°以上２°以下に、胴体部２の噴射口13側に向けて傾斜している。すなわち、この拡散片部21は、例えば１°以上１０°以下、好ましくは１°以上２°以下の噴射角度Ｔを有している。
【００３２】
このため、この拡散片部21の内側面23の先端側は、胴体部２の軸方向Ｃに直交する方向に対して鋭角、すなわち若干上方に水としてのスカム破砕水Ｄを噴射させる形状に形成されている。また、この拡散片部21の内側面23の先端部は、この拡散片部21の幅方向Ｊの中心が最も突出した形状、すなわちこの幅方向Ｊに向けて円弧状に湾曲した形状に形成されている。すなわち、この拡散片部21の内側面23の先端部は、スカム破砕水Ｄのスプレー方向である噴射方向Ｕに対して垂直かつ平行な方向に向けて湾曲した形状に形成されている。
【００３３】
次に、上記一実施の形態のスカムの破砕方法について説明する。
【００３４】
まず、図３に示すように、ノズル１の湾曲凹部11および拡散片部21が設けられている下端側を下方に向けて、このノズル１の胴体部２の軸方向Ｃを鉛直方向に沿わせた状態としつつ、このノズル１のうちの下端側の例えば１５ｍｍ以上２０ｍｍ以下の部分までの一部を汚水ＷのうちのスカムＳが発生しやすい部分の水面Ｌ下に位置するように設置させる。このとき、このノズル１の湾曲凹部11のうちの胴体部２の噴射口13より下側である胴体部２の下端高の例えば２０ｍｍ以上２５ｍｍ以下の部分が汚水Ｗの水面Ｌ上に位置した状態となる。
【００３５】
この状態で、このノズル１の胴体部２の湾曲凹部11が設けられている側の反対側である上端側からスカム破砕水Ｄを送り、例えば３０ｌ／ｍｉｎ以上５０ｌ／ｍｉｎ以下の流量でノズル１の胴体部２の噴射口13からスカム破砕水Ｄを噴射させる。このとき、図１に示すように、このノズル１の湾曲凹部11の側縁部14および底面部15にてスカム破砕水Ｄが流れる方向が鉛直方向から水平方向に変えられた後に、このノズル１の拡散片部21によってスカム破砕水Ｄが水平方向に拡散されながら、この拡散片部21の内側面23によって上方に向けて例えば１°以上１０°以下、好ましくは１°以上２°以下に傾いた噴射方向Ｕにスカム破砕水Ｄが噴射される。
【００３６】
この後、図３および図４に示すように、このノズル１の拡散片部21から噴射されたスカム破砕水Ｄによって汚水Ｗの水面Ｌに表層流Ｖが発生し、この表層流Ｖによって、この表層流Ｖが流れる方向を除く汚水Ｗの水面Ｌ上に発生している周囲のスカムＳがノズル１の拡散片部21から噴射されるスカム破砕水Ｄに引き込まれる。そして、このスカム破砕水ＤにスカムＳが引き込まれることによって、このスカムＳが破砕され、汚水Ｗの水面Ｌに発生しているスカムＳが徐々に破砕されていく。
【００３７】
このとき、ノズル１の拡散片部21からスカム破砕水Ｄが汚水Ｗ中へ噴射されることによって、このスカム破砕水Ｄによって周囲の空気が巻き込まれて気泡が発生する。このため、このスカム破砕水Ｄの噴射による水流と気泡とのそれぞれを汚水Ｗの水面Ｌ上のスカムＳに衝突できるとともに、この気泡の破裂による衝撃がスカムＳに加わることによって、このスカムＳの破砕力を増大できるから、このスカムＳの破砕効率を向上できる。
【００３８】
また同時に、ノズル１の湾曲凹部11の外径寸法Ｏを胴体部２の外径寸法Ｎより小さくしたことにより、図１および図２に示すように、このノズル１の胴体部２の噴射口13から噴射されるスカム破砕水Ｄが、このノズル１の拡散片部21から水平方向に噴射されるものとは別に、このノズル１の湾曲凹部11の幅方向Ｊの両側縁、すなわち両脇を乗り越えて、この湾曲凹部11の両脇の外側から鉛直下方に噴射される。
【００３９】
このため、この湾曲凹部11の幅方向Ｊの両側縁から噴射されるスカム破砕水Ｄによって、ノズル１の左右方向にて下降流が発生し、ノズル１の後方に位置しているスカムＳだけではなく、図４に示すように、このノズル１の拡散片部21から噴射するスカム破砕水Ｄでは引き寄せにくい、このノズル１の湾曲凹部11の幅方向Ｊの両側縁よりも外側の水面Ｌ上に位置しているスカムＳ、すなわちノズル１の左右方向のスカムＳを引き寄せることができる。そして、ノズル１の近傍には、拡散片部21から噴射されたスカム破砕水Ｄによる表層流Ｖが形成されており、下降流により引き寄せられたスカムＳが表層流Ｖに吸い寄せられる。よって、このノズル１の１本あたりのスカムＳの引き込み範囲を広くできるから、このノズル１の設置本数およびスカム破砕水Ｄの使用量を低減できる。
【００４０】
さらに、このノズル１の拡散片部21を、このノズル１の胴体部２の軸方向Ｃにおいて、この胴体部２の周面３より外側に突出した位置に設けたことにより、このノズル１の拡散片部21からスカム破砕水Ｄを効率良く水平方向に噴射できる。このため、このノズル１の拡散片部21が設けられている側である前方に対向する後方から水面Ｌ上のスカムＳを効率良く吸い寄せることができる。
【００４１】
また、このノズル１の拡散片部21の内側面23の先端側を、このノズル１の胴体部２の軸方向Ｃに対して鋭角に交差する方向に向けて傾斜させたため、このノズル１の拡散片部21から噴射させるスカム破砕水Ｄがやや上方に噴射される。よって、この拡散片部21から噴射させるスカム破砕水Ｄによって効率良く水面Ｌ下に表層流Ｖを形成できる。したがって、このノズル１の拡散片部21から噴射させるスカム破砕水Ｄによる水面ＬのスカムＳの引き寄せをより効率良くできるとともに、この水面ＬのスカムＳにスカム破砕水Ｄを直接衝突できる。
【００４２】
そして、このノズル１の拡散片部21の先端部を、この拡散片部21の幅方向Ｊに向けて円弧状に湾曲した形状に形成したことにより、この拡散片部21から噴射されるスカム破砕水Ｄの水流によって、汚水Ｗの水面Ｌに広範囲に亘った表層流Ｖを形成しつつ、この拡散片部21から噴射されるスカム破砕水Ｄの水流の勢いを、この拡散片部21の幅方向Ｊの中心付近に集約できる。よって、この拡散片部21から噴射されるスカム破砕水ＤによるスカムＳの破砕力を向上できる。
【００４３】
以上から、上記一実施の形態によれば、汚水処理施設において、汚水Ｗの水面ＬのうちのスカムＳの層が発生しやすい部分にノズル１を設置し、このノズル１の噴射口13からスカム破砕水Ｄを噴射させることにより、この汚水Ｗの水面ＬのうちのスカムＳの層が発生しやすい部分に強制的に表層流Ｖを発生させることができる。したがって、この汚水Ｗの水面Ｌに発生しているスカムＳを停滞させることなく、ノズル１の周囲に存在するスカムＳを効率良くノズル１に引き込むことができるとともに、このスカムＳにスカム破砕水Ｄを直接衝突できる。よって、ノズル１からスカム破砕水Ｄを噴射させることによる水流と気泡とによって、汚水Ｗの水面Ｌに発生しているスカムＳを効率よく破砕でき、このスカムＳの成長を阻止しつつ、このスカムＳを除去できるため、汚水処理施設の汚水Ｗの水面ＬにおけるスカムＳの発生を防止できる。
【００４４】
また、このノズル１を用いることにより、汚水Ｗの水面ＬのスカムＳを効率良く破砕できるため、ある程度の厚さを有するスカムＳの層であっても破砕できる。さらに、このノズル１にてスカム破砕水Ｄを汚水Ｗの水面Ｌ付近で噴射させるため、このスカム破砕水Ｄを噴射させることによる汚水Ｗのしぶきの発生を少なくできる。よって、この汚水Ｗが貯溜などされている処理槽の周囲を不衛生な環境にすることを防止できる。
【００４５】
なお、上記一実施の形態では、汚水処理施設の汚水Ｗの水面Ｌに発生するスカムＳの破砕方法について説明したが、水面ＬにスカムＳが発生するおそれのある被処理水であれば、例えば工場や事業所での生産活動に伴って生じる工業廃水などの廃水や、家庭汚水、工業排水、営業用排水、畜産排水などの被処理水であっても用いることができる。
【００４６】
また、ノズル１から噴射させるスカム破砕水Ｄとしては、汚水Ｗの水面Ｌに発生しているスカムＳを破砕でき、この汚水Ｗの処理に影響が少なく、固形分が少ない水であれば、例えば汚水を処理した後の処理水や、処理槽内に貯溜されている汚水自体、河川水、湖水、水道水などであっても用いることができる。
【図面の簡単な説明】
【００４７】
【図１】本発明のノズルの一実施の形態を示す斜視図である。
【図２】同上ノズルを示す正面図である。
【図３】同上ノズルの設置状態を示す側面図である。
【図４】図３中のａ−ａ断面図である。
【符号の説明】
【００４８】
１    スカム破砕装置としてのノズル
２    筒状部としての胴体部
３    周面
11    曲面部としての湾曲凹部
21    拡散部としての拡散片部
23    内側面
Ｃ    軸方向
Ｄ    水としてのスカム破砕水
Ｇ    軸方向
Ｌ    水面
Ｓ    スカム
【図１】
0004637153.tif 000002
【図２】
0004637153.tif 000003
【図３】
0004637153.tif 000004
【図４】
0004637153.tif 000005